(57)【要約】      （修正有）【課題】情報伝達する広告効果と日差し、雨水、積雪防止効果を有する自動車用リアスポイラーを提供する。【解決手段】収納スペースを有し、且つ収納スペース内にスポイラーフレームを結合するスポイラー本体１と、スポイラー本体１の後方位置上に結合する電子表示装置２と、スポイラーフレーム５に枢設するローラー４と、ローラー４に巻き付け、可動端を有し、且つ、その可動端に設けられたロッド９に負荷をかけることで伸長される断熱日除けカバー８と、ローラー４の端縁に装着し、ロッド９が負荷で伸長していないとき、断熱日除けカバー８をローラー４に巻き取った状態のままにする復帰スプリング３と、からなることを特徴とする。【選択図】図１
0003152451.tif 000002
【実用新案登録請求の範囲】
【請求項１】
収納スペースを有し、且つ収納スペース内にスポイラーフレームを結合するスポイラー本体と、
前記スポイラー本体の後方位置上に結合する電子表示装置と、
前記スポイラーフレームに枢設するローラーと、
前記ローラーに巻き付ける断熱日除けカバーであって、可動端を有し、且つ、その可動端に設けられたロッドに負荷をかけることで伸長される断熱日除けカバーと、
前記ローラーの端縁に装着した少なくとも１つの復帰スプリングであって、前記ロッドが負荷で伸長していないとき、前記断熱日除けカバーを前記ローラーに巻き取った状態のままにする前記少なくとも１つの復帰スプリングと、
からなることを特徴とする自動車用リアスポイラー。
【請求項２】
前記ロッドに1つ以上のサスペンションを設けることを特徴とする請求項1に記載する自動車用リアスポイラー。
【請求項３】
前記スポイラーフレームにさらに固定台座を結合させることを特徴とする請求項1に記載する自動車用リアスポイラー。
【請求項４】
前記固定台座は自動車のリアトランクのふたの上に結合することを特徴とする請求項３に記載する自動車用リアスポイラー。
【請求項５】
前記固定台座は固定ボルトによって自動車のリアトランクのふたの上に固定することを特徴とする請求項４に記載する自動車用リアスポイラー。
【考案の詳細な説明】
【技術分野】
【０００１】
本考案は自動車用リアスポイラーに関し、特に同時に電子表示装置と断熱日除けカバーを結合するリアスポイラーに関する。
【背景技術】
【０００２】
車両が高速走行する際、周囲の空気の圧力を受けて、空気が車体周囲に乱流を生じ、車両が高速走行する際の安定性を低下させて浮揚感を生じ、運転手の自信や車両の操縦性が低下するが、改善方法の一つとして、車両にリアスポイラーを取付けると、リアスポイラーは車両後方の気流を導いて車体の圧下力を増大させ、車両を地面に密着させることができ高速安定性と操縦性が向上する。
【０００３】
然しながら、目下のところ各種自動車のリアスポイラーには、その他の実用機能を結合させた設計は見当たらない。
【考案の概要】
【考案が解決しようとする課題】
【０００４】
こうしたことに鑑み、本考案の主な目的はリアスポイラーの実用機能を高め、自動車用リアスポイラーに結合させるのに適したその他の機能構造を統合させることにある。
【課題を解決するための手段】
【０００５】
これに基づき、本考案は電子表示装置と巻き取り式断熱日除けカバーをプラス結合させた自動車用リアスポイラーを提供することによって、リアスポイラーの実用機能を高める。
【０００６】
本考案の方法説明は下記の通りである。即ち、本考案の自動車用リアスポイラーは、収納スペースを有し且つ収納スペース内にスポイラーフレームを結合するスポイラー本体と、前記スポイラー本体の後方位置上に結合する電子表示装置と、前記スポイラーフレームに枢設するローラーと、前記ローラーに巻き付ける断熱日除けカバーであって、可動端を有し且つ可動端にロッドを設け、負荷をかけ伸長して前記断熱日除けカバーに連動するものと、前記ローラーの端縁に装着した少なくとも１つの復帰スプリングであって、前記ロッドが負荷で伸長していないとき、前記断熱日除けカバーを前記ローラーに巻き取った状態にあるものとからなる。
【考案の効果】
【０００７】
こうした構成により、本考案は電子表示装置で情報伝達する広告効果を提供することができるほかに、スポイラー本体に収納した断熱日除けカバーを自動車前方に伸張させて固定し、日差し、雨水、積雪防止効果を提供することもできる。
【図面の簡単な説明】
【０００８】
【図１】本考案の自動車用リアスポイラーの分解斜視図である。
【図２】本考案の自動車用リアスポイラーの組合せ斜視図である。
【図３】本考案の自動車用リアスポイラーが自動車に応用された使用概略図である。
【考案を実施するための形態】
【０００９】
〔実施例〕
まず、図１、図２によると、本考案は電子表示装置と巻き取り式断熱日除けカバーを結合させた自動車用リアスポイラーであって、図示するように、スポイラー本体１、電子表示装置２、復帰スプリング３、ローラー４、スポイラーフレーム５、固定台座６、固定ボルト７、断熱日除けカバー８、ロッド９からなる。
【００１０】
前記電子表示装置２はスポイラー本体１の後方位置上に結合されて、電子表示装置２によって後方に各種伝達情報又は広告の表示画面を提供する。電子表示装置２はＬＥＤパネル、液晶表示装置又は既存公知の表示装置でもよい。
【００１１】
図から分かる様に、スポイラー本体１はスポイラーフレーム５をその中に設置できる収納スペースを提供する。スポイラーフレーム５の両側はそれぞれ上に延伸した支持フレーム５１を具備し、且つ支持フレーム５１上には凹口５２を設ける。支持フレーム５１上にある前記凹口５２はローラー４の両端に結合してスポイラーフレーム５に枢設する。
【００１２】
前記断熱日除けカバー８はローラー４に巻き取り、可動端を有し、可動端でロッド９を結合し、断熱日除けカバー８がロッド９によって負荷で伸長するとこれにつれて連動する。ロッド９には１つ以上のサスペンション９１を有し、サスペンション９１によって自動車に対応して設けたリング又はその他の適所に引っ掛ける。
【００１３】
また、ローラー４の一端又は両端縁に復帰スプリング３を設けて、ロッド９が負荷で伸長していない状況で、復帰スプリング３は断熱日除けカバー８をローラー４に巻き取った状態のままにし、又はローラー４に巻き取った状態に戻して、スポイラー本体１内に収納することができる。
【００１４】
前記固定台座６はスポイラーフレーム５下方に結合させ、自動車のリアトランクのふたの上に粘着固定するか、若しくは固定ボルト７でそれを自動車のリアトランクのふたの上に固定することによって、スポイラーフレーム５を自動車のリアトランクのふたの上に安定して結合させることができる。
【００１５】
図３は本考案の自動車用リアスポイラーが自動車１０のアトランクのふたに取付けられた際の概略図を開示しており、図示されるように、リアスポイラーが既存の機能を発揮できる以外に、リアスポイラー本体１が同時にさらに電子表示装置２と巻き取り式断熱日除けカバー８を統合することで、リアスポイラーの実用機能と価値をさらに高めることができる。
【００１６】
これまでに述べたことをまとめると、本考案は電子表示装置２と巻き取り式断熱日除けカバー８を同時に結合させたリアスポイラー装置であり、電子表示装置２で情報伝達する広告効果を提供することができるほかに、スポイラー本体１に収納した断熱日除けカバー８を自動車前方に伸張させて固定し、日差し、雨水、積雪防止効果を提供することもできる。
【符号の説明】
【００１７】
１    スポイラー本体
１０  自動車
２    電子表示装置
３    復帰スプリング
４    ローラー
５    スポイラーフレーム
５１  支持フレーム
５２  凹口
６    固定台座
７    固定ボルト
８    断熱日除けカバー
９    ロッド
９１  サスペンション
【図１】
0003152451.tif 000003
【図２】
0003152451.tif 000004
【図３】
0003152451.tif 000005